(57)【要約】【課題】二組の折戸が設置される場合の振止め金具と、一組の折戸が設置される場合の振止め金具との共通化を図る。【解決手段】振止め金具１は、折戸への取付け面２Ａと、係合凸部２Ｂとを有する一方側金具２と、折戸又は戸枠への取付け面３Ａと、前記一方側金具２の係合凸部２Ｂと係合し得る第１係合凹部３Ｂと、前記一方側金具２の係合凸部Ｂと係合し得る第２係合凹部３Ｃとを有する他方側金具３とからなる。前記一方側金具２の係合凸部２Ｂと前記他方側金具３の第１係合凹部３Ｂとを係合させた状態では、前記一方側金具２の折戸への取付け面２Ａと前記他方側金具３の折戸又は戸枠への取付け面３Ａとが同一平面に位置する関係となり、前記一方側金具２の係合凸部２Ｂと前記他方側金具３の第２係合凹部３Ｃとを係合させた状態では、前記一方側金具２の折戸への取付け面２Ａと前記他方側金具３の折戸又は戸枠への取付け面３Ａとが直交する関係となる。【選択図】図３
2018145598.tif 000002
【特許請求の範囲】
【請求項１】
開口部に対して二組の折戸を設けた場合の振止め金具として使用可能であるとともに、開口部に対して一組の折戸を設けた場合の振止め金具としても使用可能な折戸の振止め金具であって、
前記振止め金具は、折戸への取付け面と、係合凸部とを有する一方側金具と、
折戸又は戸枠への取付け面と、前記一方側金具の係合凸部と係合し得る第１係合凹部と、前記一方側金具の係合凸部と係合し得る第２係合凹部とを有する他方側金具とからなり、
前記一方側金具の係合凸部と前記他方側金具の第１係合凹部とを係合させた状態で、前記一方側金具の折戸への取付け面と前記他方側金具の折戸又は戸枠への取付け面とが同一平面に位置する関係にある、開口部に対して二組の折戸を設けた場合の使用モードと、
前記一方側金具の係合凸部と前記他方側金具の第２係合凹部とを係合させた状態で、前記一方側金具の折戸への取付け面と前記他方側金具の折戸又は戸枠への取付け面とが直交する関係にある、開口部に対して一組の折戸を設けた場合の使用モードとに変更可能であることを特徴とする折戸の振止め金具。
【請求項２】
前記一方側金具の係合凸部は、断面く字状の係合凸部とされ、前記他方側金具の第１係合凹部は、断面く字状の凹部とされる請求項１記載の折戸の振止め金具。
【請求項３】
前記他方側金具の第２係合凹部は、矩形状の窪みの一側部に形成された入隅部とされる請求項１、２いずれかに記載の折戸の振止め金具。
【発明の詳細な説明】
【技術分野】
【０００１】
本発明は、開口部に対して二組の折戸を設けた場合の振止め金具として使用可能であるとともに、開口部に対して一組の折戸を設けた場合の振止め金具としても使用可能な折戸の振止め金具に関する。
【背景技術】
【０００２】
従来より、洋服タンス等の収納家具やクロゼット等の収納家具に使用される折戸が知られている。
【０００３】
前記折戸は、図１３に示されるように、２枚の扉５０，５０の側縁部分をお互いに蝶番５１、５１などにより連結して折り畳み自在として折戸にするとともに、取付け枠の上下枠部にそれぞれ上レール５２および下レール５３を取付け、折戸の戸元側上下部に前記上下レール５２，５３に嵌合され固定機構によりレールの所定位置に位置固定される軸受け金具５４，５５を設け、これら軸受け金具５４，５５によって折戸の上下端側ピボットを夫々回転自在に支持させるようにし、戸先側折戸の上下部には開閉に伴って上下レール５２，５３に沿って移動自在とされるランナ５６，５７を取付けて開閉自在としたものである。
【０００４】
近年はバリヤフリー化のために、下レールを設けないようにしたものも存在する。この場合は、図１４に示されるように、床面に対して直接的に軸受け金具５６を固定し、折戸のピボットを嵌合させて回転自在に支持し、かつ戸先側の上縁部にランナ５６を設け上レール５２内を走行させる構造が専ら採用されている。
【０００５】
開口部に対する折戸の設置数は、１又は複数とされるが、通常、間口が１間の場合は、図１３及び図１４に示されるように、二組の折戸が設置され、間口が０．５間の場合は、図１５に示されるように、１組の折戸が設置される。
【０００６】
特に、下レール５３を設けない折戸構造とした場合は、折戸の閉止時に下端側で戸の厚み方向に振れが生じてしまう問題が発生する。この問題に対処するために、折戸に対して振止め金具を設けるようにしている。
【０００７】
二組の折戸が設置された図１３及び図１４の折戸構造の場合には、それぞれの折戸の戸先部下方側に凹凸の関係で係合し合う振止め金具（以下、Ａタイプ）を設け、一組の折戸が設置された図１５の折戸構造の場合は、折戸の戸先側下端と縦枠部とに凹凸の関係で係合しあう振止め金具（以下、Ｂタイプ）を設けるようにしている。
【０００８】
前記振止め金具の構造例としては、下記特許文献１に、前記Ａタイプの振止め金具として、同文献の図１２及び図１３に、係止爪と爪受け凹部とを上下に隣接して、かつ左右で点対称となるように設けたプラスチック成形品からなり、ドアパネル１にして隣接する係止爪と爪受け凹部とが互いに係合し合うようにした振止め金具が開示されている。また、前記Ｂタイプの振止め金具として、同文献の図９及び図１０に、縦枠に固定されるキャッチと、ドアパネルに固定されてキャッチで係合捕捉されるソケットとからなる。キャッチには台形状の突起が設けてあり、突起がソケットの係合凹部内に進入して係合することにより、ドアパネルを前後遊動不能に固定する振止め金具が開示されている。
【先行技術文献】
【特許文献】
【０００９】
【特許文献１】特開２００３−２７８５２号公報
【発明の概要】
【発明が解決しようとする課題】
【００１０】
前述したように、従来の折戸の振止め金具としては、二組の折戸が設置された場合のＡタイプの振止め金具と、一組の折戸が設置された場合のＢタイプの振止め金具とを別々に準備するようにしていた。そのため、ある現場で、二組の折戸が設置される開口部と、一組の折戸が設置される開口部とが混在していると、それぞれを別々に準備しなければならず、管理が煩雑であるとともに、コストも余計に掛かっていた。
【００１１】
そこで本発明の主たる課題は、開口部に対して二組の折戸が設置される場合の振止め金具と、開口部に対して一組の折戸が設置される場合の振止め金具との共通化を図ることにより、部品数の削減や製作コストの削減等を図ることにある。
【課題を解決するための手段】
【００１２】
上記課題を解決するために請求項１に係る本発明として、開口部に対して二組の折戸を設けた場合の振止め金具として使用可能であるとともに、開口部に対して一組の折戸を設けた場合の振止め金具としても使用可能な折戸の振止め金具であって、
前記振止め金具は、折戸への取付け面と、係合凸部とを有する一方側金具と、
折戸又は戸枠への取付け面と、前記一方側金具の係合凸部と係合し得る第１係合凹部と、前記一方側金具の係合凸部と係合し得る第２係合凹部とを有する他方側金具とからなり、
前記一方側金具の係合凸部と前記他方側金具の第１係合凹部とを係合させた状態で、前記一方側金具の折戸への取付け面と前記他方側金具の折戸又は戸枠への取付け面とが同一平面に位置する関係にある、開口部に対して二組の折戸を設けた場合の使用モードと、
前記一方側金具の係合凸部と前記他方側金具の第２係合凹部とを係合させた状態で、前記一方側金具の折戸への取付け面と前記他方側金具の折戸又は戸枠への取付け面とが直交する関係にある、開口部に対して一組の折戸を設けた場合の使用モードとに変更可能であることを特徴とする折戸の振止め金具が提供される。
【００１３】
上記請求項１記載の発明では、振止め金具の内、特に前記他方側金具において、一方側金具の係合凸部と係合し得る第１係合凹部と、前記一方側金具の係合凸部と係合し得る第２係合凹部とを有するようにしている。
【００１４】
そして、前記一方側金具の係合凸部と前記他方側金具の第１係合凹部とを係合させた状態では、前記一方側金具の折戸への取付け面と前記他方側金具の折戸への取付け面とが同一平面に位置する関係となる。これが、開口部に対して二組の折戸を設けた場合の使用モードとなる。
【００１５】
また、前記一方側金具の係合凸部と前記他方側金具の第２係合凹部とを係合させた状態では、前記一方側金具の折戸への取付け面と前記他方側金具の折戸又は戸枠への取付け面とが直交する関係となる。これが、開口部に対して一組の折戸を設けた場合の使用モードとなる。
【００１６】
このように本振止め金具の場合は、開口部に対して二組の折戸を設けた場合の振止め金具として使用可能であるとともに、開口部に対して一組の折戸を設けた場合の振止め金具としても使用可能となるため、部品数の削減や製作コストの削減等を図ることが可能となる。
【００１７】
請求項２に係る本発明として、前記一方側金具の係合凸部は、断面く字状の係合凸部とされ、前記他方側金具の第１係合凹部は、断面く字状の凹部とされる請求項１記載の折戸の振止め金具が提供される。
【００１８】
上記請求項２記載の発明は、振止め金具の具体的態様を示したものである。具体的には、前記一方側金具の係合凸部は、断面く字状の係合凸部とされ、前記他方側金具の第１係合凹部は、断面く字状の凹部とされ、これらを係合させることにより、折戸の振れを防止するようにする。
【００１９】
請求項３に係る本発明として、前記他方側金具の第２係合凹部は、矩形状の窪みの一側部に形成された入隅部とされる請求項１、２いずれかに記載の折戸の振止め金具が提供される。
【００２０】
上記請求項３記載の発明は、他方側金具における第２係合凹部の態様を示したものである。具体的に前記第２係合凹部は、矩形状の窪みの一側部に形成された入隅部とするものである。
【発明の効果】
【００２１】
以上詳説のとおり本発明によれば、開口部に対して二組の折戸が設置される場合の振止め金具と、開口部に対して一組の折戸が設置される場合の振止め金具との共通化を図ることにより、部品数の削減や製作コストの削減等を図ることができるようになる。
【図面の簡単な説明】
【００２２】
【図１】開口部に対して二組の折戸１２、１２を設けた場合を示す、(A)は内空間側からの正面視図、(B)はB-B線矢視図である。
【図２】折戸１２の作動状態を示す、(A)は半開き状態、(B)は全閉状態である。
【図３】振止め金具１の係合状態を示す拡大平面図（図２のＡ部）である。
【図４】その正面図である。
【図５】振止め金具１の係合状態を示す斜視図である。
【図６】一方側金具２を示す、(A)は正面図、(B)は右側面図、(C)は左側面図、(D)は平面図、(E)はE-E線矢視図である。
【図７】他方側金具３を示す、(A)は正面図、(B)は右側面図、(C)は左側面図、(D)は平面図、(E)はE-E矢視図、(F)はF-F矢視図である。
【図８】開口部に対して一組の折戸を設けた場合を示す、(A)は内空間側からの正面視図、(B)はB-B線矢視図である。
【図９】折戸１２の作動状態を示す、(A)は半開き状態、(B)は全閉状態である。
【図１０】振止め金具１の係合状態を示す拡大平面図（図９のＢ部）である。
【図１１】その正面図である。
【図１２】振止め金具１の係合状態を示す斜視図である。
【図１３】従来の折戸（下レール有りタイプ）を示す斜視図である。
【図１４】従来の折戸（下レール無しタイプ）の斜視図である。
【図１５】従来の開口部に一組の折戸を設けた場合の正面斜視図である。
【発明を実施するための形態】
【００２３】
以下、本発明の実施の形態について図面を参照しながら詳述する。
【００２４】
〔開口部に対して二組の折戸を設けた場合の使用モード〕
図１に示されるように、戸枠４によって形成された開口部に対して二組の折戸１２、１２を設けた場合、図示例では、各折戸１２の戸先部の高さ方向中間部と、高さ方向下端部との２箇所に、それぞれ振止め金具１が設けられている。
【００２５】
前記折戸１２は、２枚の扉１０，１０の側縁部分をお互いに蝶番１１などにより連結して折り畳み自在としたものであり、それぞれの折戸１２の戸先部には、把手１３が取り付けられており、図２(A)に示されるように、居住者が把手１３を掴み、吊元側（固定端側）に引くようにすると、折戸１２が平面視でＶ字状に屈曲して扉が開かれる。また、図２(B)に示されるように、扉が開いた状態から把手１３を掴んで中央側に引くと、折戸１２，１２が閉じられる。折戸１２がＶ字状に突出する側の面を折戸１２の表面とし、その反対側を折戸１２の裏面と定義する。
【００２６】
前記振止め金具１は、図３に示されるように、一方側金具２と他方側金具３とからなる。前記一方側金具２は、折戸１２への取付け面２Ａと、二つの傾斜面２ａ、２ｂによって形成された係合凸部２Ｂとを有し、前記他方側金具３は、折戸又は戸枠への取付け面３Ａと、前記一方側金具の係合凸部２Ｂと係合する第１係合凹部３Ｂと、前記一方側金具の係合凸部２Ｂと係合する第２係合凹部３Ｃとを有する。
【００２７】
折戸１２，１２の境界部において、一方側の折戸１２の裏面側に前記一方側金具２を取付け、他方側の折戸１２の裏面側に前記他方側金具３を取り付けることによって、折戸１２，１２を全閉した状態とすると、図３〜図５に示されるように、前記一方側金具２の係合凸部２Ｂと他方側金具３の第１係合凹部３Ｂとが係合し合うことによって扉が厚み方向に振れないように支持される。
【００２８】
以下、更に具体的に詳述する。
【００２９】
前記一方側金具２は、詳細には図６に示されるように、全体形状は略立方体状を成し、裏面側に平面状の折戸１２への取付け面２Ａを有する。表面側には断面視で略三角形状の肉抜き部２ｃが形成されるとともに、肉抜き部２ｃには上下段で裏面側に貫通する２つのビス孔２ｄ、２ｄが形成されている。周囲の４側面の内の一つの側面部には、二つの傾斜面２ａ、２ｂによって断面く字状に形成された係合凸部２Ｂが形成されている。
【００３０】
前記他方側金具３は、詳細には図７に示されるように、平面視では略三角形状を成し、３つの面の内、裏面側となる平面が折戸１２への取付け面３Ａとなり、残る表面側の２つの面の内の一方の面部分に、２つの傾斜面３ａ、３ｂによって断面く字状に形成された第１係合凹部３Ｂが形成されている。また、他方の面部分は、高さ方向の中間部分に矩形状の窪み３ｃが形成され、前記取付け面３Ａに近接する側辺（一側部）の入隅部が、前記一方側金具２の係合凸部２Ｂと係合し得る第２係合凹部３Ｃとなっている。前記矩形状の窪み３ｃは、第２係合凹部３Ｃと反対側には起立片を有さず、一方側金具２の係合凸部２Ｂが外から侵入し易いように開放されている。また、前記矩形状の窪み３ｃを挟んで上下部にはそれぞれ裏面側に貫通するビス孔３ｄが形成されている。
【００３１】
前記一方側金具２の係合凸部２Ｂと前記他方側金具３の第１係合凹部３Ｂとを係合させた状態では、前記一方側金具２の折戸への取付け面２Ａと前記他方側金具３の折戸又は戸枠への取付け面３Ａとが同一平面に位置する関係にある。これが開口部に対して二組の折戸を設けた場合の使用モードとなる。すなわち、図３〜図５に示されるように、一方側の折戸１２の裏面側に一方側金具２をビスによって取付け、他方側の折戸１２の裏面側に他方側金具３をビスによって取り付ける。各折戸１２，１２を全閉した状態とすると、前記一方側金具２の係合凸部２Ｂと前記他方側金具３の第１係合凹部３Ｂとが係合した状態となり、折戸１２，１２の境界部で厚み方向に振れないように支持される。
【００３２】
〔開口部に対して一組の折戸を設けた場合の使用モード〕
次に、戸枠４によって形成された開口部に対して一組の折戸を設けた場合の使用モードについて、図８〜図１２に基づいて詳述する。
【００３３】
図８に示されるように、開口部に設けられた一組の折戸１２の戸先部の高さ方向中間部と、高さ方向下端部との２箇所に、それぞれ振止め金具１が設けられている。
【００３４】
折戸１２は、図９(A)に示されるように、居住者が把手１３を掴み、吊元側（固定端側）に引くようにすると、折戸１２が平面視でＶ字状に屈曲して扉が開かれる。また、図９(B)に示されるように、扉が開いた状態から把手１３を掴んで戸枠側（移動端側）に引くと、折戸１２が閉じられる。
【００３５】
折戸１２の戸先側が厚み方向に振れないように、図１０に示されるように、折戸１２の戸先側裏面に振止め金具１の一方側金具２が設けられ、戸先側縦枠１４に他方側金具３が設けられ、折戸１２を閉めた状態にすると、前記一方側金具２が戸枠側の他方側金具３に係合することにより、折戸１２が振れないように保持される。
【００３６】
前記一方側金具２については、前記開口部に対して二組の折戸を設けた場合の使用態様モードと同様に、折戸１２の戸先側の裏面に対して、前記一方側金具２を取付けられる。前記他方側金具３は、第２係合凹部３Ｃが前記一方側金具２に対して向かうような向きで戸先側縦枠１４に対して取り付けられる。
【００３７】
前記一方側金具２の係合凸部２Ｂと前記他方側金具３の第２係合凹部３Ｃとを係合させた状態では、前記一方側金具２の折戸１２への取付け面２Ａと前記他方側金具３の戸先側縦枠への取付け面３Ａとが直交する関係にある。これが、開口部に対して一組の折戸を設けた場合の使用モードとなる。すなわち、図１０〜図１２に示されるように、折戸１２の裏面側に一方側金具２をビスによって取付ける。一方、他方側金具３は、第２係合凹部３Ｃが前記一方側金具２側に向かう向きとした状態で戸先側縦枠１４に対してビスによって取り付ける。折戸１２を閉めた状態とすると、前記一方側金具２の係合凸部２Ｂと前記他方側金具３の第２係合凹部３Ｃとが係合した状態となり、折戸１２が厚み方向に振れないように支持される。
【００３８】
〔他の形態例〕
(1)上記形態例では、振止め金具１を高さ方向中間部と、高さ方向下端部との２箇所に設けるようにしたが、折戸１２の下端部のみに設けるようにしてもよい。
(2)上記振止め金具１は、バリヤフリー化のために下レールを設けないようにした折戸に対して好適に適用されるが、下レールを設けた一般的な折戸に対しても適用が可能である。この場合は、振止めとしての機能とともに、折戸を閉めた状態でしっかりと正規の位置に位置決めされるようになり、折戸位置に片寄りがなくなる。
【符号の説明】
【００３９】
１…振止め金具、２…一方側金具、２Ａ…折戸への取付け面、２Ｂ…係合凸部、３…他方側金具、３Ａ…折戸又は戸枠への取付け面、３Ｂ…第１係合凹部、３Ｃ…第２係合凹部、４…戸枠、１０…扉、１１…蝶番、１２…折戸、１３…把手、１４…戸先側縦枠
【図１】
2018145598.tif 000003
【図２】
2018145598.tif 000004
【図３】
2018145598.tif 000005
【図４】
2018145598.tif 000006
【図５】
2018145598.tif 000007
【図６】
2018145598.tif 000008
【図７】
2018145598.tif 000009
【図８】
2018145598.tif 000010
【図９】
2018145598.tif 000011
【図１０】
2018145598.tif 000012
【図１１】
2018145598.tif 000013
【図１２】
2018145598.tif 000014
【図１３】
2018145598.tif 000015
【図１４】
2018145598.tif 000016
【図１５】
2018145598.tif 000017